【手続補正書】
【提出日】平成19年10月18日(2007.10.18)
【手続補正１】
【補正対象書類名】明細書
【補正対象項目名】特許請求の範囲
【補正方法】変更
【補正の内容】
【特許請求の範囲】
【請求項１】  バルク固体計量システムにおいて、延長ホッパー及び前記延長ホッパーに対して装着される供給ホッパーを支持するための支持構造と、前記支持構造は、ほぼ鉛直方向軸に沿って延在し、前記支持構造は、
相対的に固定的な位置にあり、側壁面を画成する対向する第１及び第２側壁と、
前記側壁間を架け、前記側壁に固定される上壁と、前記上壁は装着される前記延長ホッパーを受け入れるように構成される開口を画成し、
前記側壁間を架け、前記側壁に固定される前壁と、前記前壁はバルク固体材料が吐出される開口を画成し、を有し、
前記側壁、上壁、前壁は前記供給ホッパーを完全に囲むように構成されるホッパー受入れ空間を画成し、
前記側壁及び上壁は、支持構造後側に沿って横方向の開口を画成し、前記横方向の開口は、前記支持構造内に前記供給ホッパーを取り外し可能に完全に装着するため前記鉛直軸にほぼ交差する横方向の開口軸に沿って、前記ホッパー受入れ空間へ前記供給ホッパーの出し入れを可能にし、前記側壁は、前記供給ホッパーの前記支持構造への出し入れの移動のほぼ全範囲を前記横方向の開口軸にほぼ沿った移動に規制し、
前記前壁に対して固定されるノズルと、前記ノズルは、前記前壁開口と材料供給関係にあり前記供給ホッパーから前記バルク固体材料を受け入れられるように構成される第１端部と、前記サポート構造体の外側の第２端部と、その間のバルク固体材料用通路と、を有し、
前記延長ホッパーは上部材料入口、下部材料出口、及び延長ホッパーフランジを有し、前記延長ホッパーは前記上部壁に対して取り外し可能に装着され、装着されると、前記延長ホッパーは前記上部壁開口を少なくとも部分的に介して前記第１及び第２側壁間の前記ホッパー受入れ空間内に延在し、前記延長ホッパーフランジは前記ホッパー受入れ空間内の前記上壁より下に位置し、
前記供給ホッパーは上部材料入口、下部材料出口、供給ホッパーフランジ及びダクトを有し、前記ダクトはダクト軸、前記供給ホッパー下部材料出口と材料供給関係にあるダクト上部開口、前記ダクトの第１端部に沿ったスパウト、前記ダクトの第２端部に沿ったオーガー受入れ開口を有し、前記供給ホッパーは、前記延長ホッパー及び供給ホッパーフランジに取り外し可能に係合できることで前記サポート構造に取り外し可能に装着され、（１）装着されると、前記供給ホッパーは前記ホッパー受入れ空間内に位置し、前記供給ホッパー上部材料入口は前記延長ホッパー下部材料出口と材料供給関係にあり、前記ダクト軸は前記鉛直軸にほぼ交差し前記横方向の開口軸にほぼ平行であり、前記スパウトは前記ノズル第１端部と材料供給関係であり、（２）取り外されると、前記供給ホッパーは前記側壁間で完全に前記支持構造への完全な出し入れを前記横方向開口軸にほぼ沿って行え、
前記ノズル内及び介して前記ダクト上部開口から前記バルク固体材料を移動させるため前記ダクトに回転可能に装着されるオーガーと、前記オーガーは、装着されると前記ダクト軸とほぼ同軸のオーガー軸を有し、かつ前記側壁間そして前記横方向の開口軸に沿って、前記オーガー受入れ開口を介して前記装着された供給ホッパー及び支持構造とは別に前記ダクト内へ出し入れでき、
第１位置と第２位置との間の面内で移動できるように構成され、枢動装着部に前記支持構造に対して移動可能に装着される駆動ユニットと、前記第１位置では前記駆動ユニットが前記オーガーを回転するように、装着された前記オーガーとパワー伝達関係にあり、前記第２位置では前記駆動ユニットが前記オーガーから取り外され、前記オーガー及び前記供給ホッパーから離れるように枢動することで、前記装着された供給ホッパーから分離した前記ダクト及び前記支持構造から完全に引き抜き自在であり、かつ前記供給ホッパーは、前記支持構造から完全に引き抜き自在であり、
前記供給ホッパー及びオーガーは、完全に前記側壁面間で前記支持構造裏側に対して装着及び取り外し可能であるシステム。
【請求項２】  前記供給ホッパーは、
柔軟なエラストマ材料から形成される本体と、前記本体は第１及び第２の変形可能な攪拌部を有し、
第１及び第２供給ホッパー攪拌器と、前記第１及び第２供給ホッパー攪拌器はそれぞれホッパー接触部を有する離間する端部を有し、前記ダクト軸に対して角度をなす攪拌軸に沿って前記攪拌器の往復運動を可能にするように枢動装着部に前記装着された供給ホッパーのそれぞれの攪拌部の隣りの前記支持構造に対して固定され、前記ホッパー接触部は前記装着された供給ホッパーの前記攪拌部に接触し、前記攪拌部を局所的に変形し、
各攪拌器とパワー伝達関係にあり、前記攪拌器の往復運動を可能にする駆動機構と、を備える請求項１に記載のシステム。
【請求項３】  前記攪拌器軸及び前記ダクト軸は互いにほぼ直交している請求項２に記載のシステム。
【請求項４】  前記延長ホッパーフランジは前記延長ホッパー下部材料出口に沿い、
前記供給ホッパーフランジは供給ホッパー上縁部に沿い、前記供給ホッパーフランジはホッパージョイントで固定装置により前記延長ホッパーフランジに接続され、
前記ホッパージョイントは前記上部壁部の下にある請求項１に記載のシステム。
【請求項５】  前記固定装置は前記フランジに重なる関係のバンドクランプであり、前記ホッパーが互いに固定される請求項４に記載のシステム。
【請求項６】  前記供給ホッパーは柔軟なエラストマ材料から作製されるホッパー本体を有し、
前記供給ホッパーフランジは剛性のある材料から作製され前記柔軟性のあるエラストマ材料により前記供給ホッパー本体に固定される請求項５に記載のシステム。
【請求項７】  前記弾性密封リングはフランジ間で圧縮され、
前記延長ホッパーは前記上部壁に取り外し可能に固定される装着部材を有する請求項５に記載のシステム。
【請求項８】  前記延長ホッパー上部材料入口と前記下部材料出口との間で前記延長ホッパーは断面が円状である請求項４に記載のシステム。
【請求項９】  前記供給ホッパーは剛性材料から作製され、
攪拌機構は、前記延長ホッパーに支持され、駆動ユニット、攪拌器、前記駆動ユニットと前記攪拌器との間に延在する動力シャフトを有し、
前記動力シャフトは前記供給ホッパーに対する移動のために装着され、前記攪拌器が前記供給ホッパーから取り外せる請求項４に記載のシステム。
【請求項１０】  前記駆動ユニット及び前記動力シャフトは摺動結合により互いに結合され、前記動力シャフトは前記動力ユニットを介して上方に移動できる請求項９に記載のシステム。
【請求項１１】  前記供給ホッパーは、柔軟な材料で作られた本体を有し、前記供給ホッパーフランジは供給ホッパー上縁部に沿い、前記ダクトは前記供給ホッパーフランジの下に離間し、
前記本体は、前記供給ホッパーフランジの隣りの第１の断面形状と、前記供給ホッパーフランジと前記ダクトとの中間の第２の断面形状と、を有する請求項１に記載のシステム。
【請求項１２】  前記第１断面形状は円形である請求項１１に記載のシステム。
【請求項１３】  前記第２の断面形状は縦軸と、前記縦軸に直交しそれよりも短い横軸とを有する請求項１１に記載のシステム。
【請求項１４】  前記第２の断面形状は、縦軸と、該縦軸に直交しそれよりも短い横軸とを有する、請求項１２に記載のシステム。
【請求項１５】  前記縦軸は前記ダクト軸にほぼ平行である請求項１３に記載のシステム。
【請求項１６】  前記供給ホッパーが装着されると、前記ノズル第１端部及びスパウトは材料供給関係で同軸に係合し、前記供給ホッパーが前記支持構造から取り外されると軸方向に移動する請求項１に記載のシステム。
【請求項１７】  前記駆動ユニットは、モータ及び前記枢動装着部に支持される減速器を有し、前記駆動ユニットが前記第１位置にあるとき前記減速器は前記モータ及び前記オーガーに結合する請求項１に記載のシステム。
【請求項１８】  前記駆動ユニット枢動装着部は前記第１位置と前記第２位置の間のほぼ鉛直な面内で前記駆動ユニットを移動させるために装着される請求項１７に記載のシステム。
【請求項１９】  前記支持構造はさらに、一対の対向する支持コラムを有し、該支持コラムのそれぞれは、第１もしくは第２側壁に結合し前記支持構造を支持する請求項１に記載のシステム。